(57)【要約】【課題】  練習時の安全性を考慮した上で、練習に競技牲及び遊戯性を加えることにより練習の効果を高めることのできるバレーボール練習具を提供することを目的とする。【解決手段】  バレーボール練習具は上端が張設されたバレーボール競技用ネット（６）の上部に掛け止めされ、下端が前記ネットに着脱自在に取り付けられるようになったフレーム（４）と、該フレームに固定された支柱（５）と、ネット（６）より上で、前記支柱から支持された弾性体からなるボール投入用リング（１３）と、を含み、該ボール投入用リングは、フレーム、従ってネットに対して任意の角度に調節できるように構成されている。【選択図】      図１
0003103130.tif 000002
【実用新案登録請求の範囲】
【請求項１】
上端が張設されたバレーボール競技用ネットの上部に掛け止めされ、下端が前記ネットに着脱自在に取り付けられるようになったフレームと、該フレームに固定された支柱と、弾性体からなるボール投入用リングと、該ボール投入用リングを、ネットより上に、前記支柱から支持するためのジョイント手段と、を含み、ジョイント手段は、前記ボール投入用リングをフレーム、従ってネットに対して任意の角度に調節出来るように構成されている、ことを特徴とするバレーボール練習具。
【請求項２】
前記ジョイント手段は、支柱の先端に差し込まれて締め付け用ボルト・ナットで固定された２つ割り下方ジョイント部分と、このジョイント部分に枢着兼締め付け用ボルト・ナットで角度調節可能に連結され且つその連結により割りパイプを締め付けて支持する受け口付の２つ割り上方ジョイント部分と、を含む相互連結型２つ割りジョイントからなり、前記割りパイプにはゴムホースが挿入され、これを割りパイプにその両端で締め付け固定するクランプリングが設けられ、前記ゴムホースは割りパイプの両端から突出する延長部を有し、弾性体のボール投入用リングはその両端部をゴムホースの延長部に摩擦嵌めすることによってゴムホースに可撓的に連結される、請求項１に記載のバレーボール練習具。
【考案の詳細な説明】
【技術分野】
【０００１】
本考案はバレーボールの打球のコントロール精度を向上させる練習に使用されるようになったバレーボール練習具に関する。
【背景技術】
【０００２】
従来、バレーボールのトス、レシーブの練習では、トス、レシーブの際に狙う目標点が空中に有るため、アタッカー（選手）やセッター（選手）を使った練習となり、どうしても単調な練習となり易かった。このことの改善に繋がる練習具として、自立形式の練習具が考案されている。その考案によれば、練習具は昇降自在の支柱と、該支柱の上部に起倒自在に枢着されたボール投入環と、該ボール投入環から垂下した筒状網体と、からなっている。ボール打ち込み角度に合わせて、ボール投入環を起こしたり倒したりし、また打ち込みの高さに合わせて支柱を昇降させる。ボール投入環に向かってボール打ち込み、或いは送球をすれば、打球の正確性を確認でき、また後片づけを容易にする。
【０００３】
同じく自立形式のバレーボール練習具ではあるが、先のものとは投入枠の形状及び指示形態を異にし、筒状網体を袋体とした練習具も考案されている。その考案の目的は、少ない人数でもトスやアタックの練習が可能であり、後片付けを容易にすることである。
【０００４】
【特許文献１】実公昭５５−１２８３４号公報
【特許文献２】実願昭６１−１１１８９４（実開昭６３−１８２７８４号公報）
【考案の開示】
【考案が解決しようとする課題】
【０００５】
引用文献１及び２の考案では、バレーボール練習具が自立形式のものであるから、強い打球が練習具に当たった場合に練習具が転倒する危険があるため、その防止策として練習具自体はかなりの重量を持つように設計されている。そのため大がかりな器具となって経済的負担を強いる欠点があり、またトスの練習等では、トスの目標点である練習具の近くで練習することもあるので、選手が練習具に接触して怪我をする危険もあった。
【０００６】
本考案は、上記の課題に鑑みてなされたもので、軽量簡素化、経済的負担の低減及び練習時の安全性を考慮した上で、練習に競技牲及び遊戯性を加えることにより練習の効果を高めることのできるバレーボール練習具を提供することを目的とする。
【課題を解決するための手段】
【０００７】
本考案によれば、上記の目的は、上端が張設されたバレーボール競技用ネットの上部に掛け止めされ、下端が前記ネットに着脱自在に取り付けられるようになったフレームと、該フレームに固定された支柱と、弾性体からなるボール投入用リングと、該ボール投入用リングを、ネットより上に、前記支柱から支持するためのジョイント手段と、を含み、ジョイント手段は、前記ボール投入用リングをフレーム、従ってネットに対して任意の角度に調節出来るように構成されている、ことを特徴とするバレーボール練習具を提供することによって達成される。
【０００８】
本考案の好ましい実施形態では、ジョイント手段は、支柱の先端に差し込まれて締め付け用ボルト・ナットで固定された２つ割り下方ジョイント部分と、このジョイント部分に枢着兼締め付け用ボルト・ナットで角度調節可能に連結され且つその連結により割りパイプを締め付けて支持する受け口付の２つ割り上方ジョイント部分と、を含む相互連結型２つ割りジョイントからなり、前記割りパイプにはゴムホースが挿入され、これを割りパイプにその両端で締め付け固定するクランプリングが設けられ、前記ゴムホースは割りパイプの両端から突出する延長部を有し、弾性体のボール投入用リングはその両端部をゴムホースの延長部に摩擦嵌めすることによってゴムホースに可撓的に連結される。
【０００９】
ボール投入用リングは、一般的にネットと平行に垂直に設定されるが、枢着兼締め付け用ボルト・ナットを緩めて受け口を開き、割りパイプを所望角度回してから、再度ボルト・ナットを締めれば、ボール投入用リングをネットの平面に対して所望な角度に調節することができる。締め付け用ボルト・ナットを緩めて下方ジョイント部分を支柱の周りに回わして再度ボルト・ナットを締めればボール投入用リングをネットと垂直な位置に設定することができる。その際、枢着兼締め付け用ボルト・ナットを緩めて上方ジョイント部分を所望角度倒し、再度ボルト・ナットを締め付ければ、ボール投入用リングを所望角度に設定することができる。
【考案を実施するための最良の形態】
【００１０】
図を参照して、本考案によるバレーボール練習具の実施形態を詳細に説明する。図１及び２に示すように、バレーボール練習具１は、両サイドパイプ２と複数本（本例では３本）の横パイプ３とを互いに連結して構成されたフレーム４と、上及び中間横パイプ３で支持され且つこれに固定された支柱５と、を含む。上横パイプ３には、フレーム４を張設されたバレーボール競技用ネット６の上部に掛け止めするための一対の吊り金具７が設けられている。吊り金具７は、上横パイプに保持される部分８とネット６の上部に引っ掛けてクランプボルト・ナット９で連結されるフック部分１０と、を含む（図３参照）。両サイドパイプ２の下端には、これをネット６の下端に着脱自在に取り付けるためにネットの下端を受け入れるスリット１１が設けられている。
【００１１】
相互連結型２つ割りジョイント１２が支柱５からボール投入用リング１３を支えるためと、ボール投入用リング１３の角度を調節するために設けられている。図４及び５で明らかなように、この２つ割りジョイント１２は、支柱５の先端が差し込まれて締め付け用ボルト・ナット１４で支柱５に固定された２つ割り下方ジョイント部分１５と、このジョイント部分１５に枢着兼締め付け用ボルト・ナット１６で角度調節可能に連結された２つ割り上方ジョイント部分１７と、を含む。上方ジョイント部分１７は受け口１８を有し、該受け口１８は、上方ジョイント部分１７がボルト・ナット１６で下方ジョイント部分に連結されるとき、そこに受け入れられた割りパイプ１９を締め付けて支持する。図６及び７に詳細に示すように、ゴムホース２０が割りバイプ１９に挿入され、そして割りパイプ１９をその両端でクランプリング２１の締め付けにより縮径させて割りパイプにることにより且つ固定される。ゴムホース２０は割りパイプ１９の両端から突出する延長部２２を有し、ボール投入用リング１３の両端部がゴムホースの延長部２２に摩擦嵌めされ、それによってボール投入用リング１３はゴムホース２０に可撓的に連結される。ボール投入用リング１３はボールによる衝撃を受けたときこれを吸収すべく撓むような弾性体のものであるのが好ましい。割りパイプ１９には把手２３が設けられている。
【００１２】
ボール投入用リング１３は、一般的にネット６と平行に垂直に設定されるが、それ以外の位置にボール投入用リングを設定したければ、次のように位置乃至向きの変更操作を行えばよい。例えば、ボール投入用リング１３をネット６の平面に対して所望な角度に調節する場合には、先ず、枢着兼締め付け用ボルト・ナット１６を緩めて上方ジョイント部分１７の受け口１８を開き、割りパイプ１９を所望角度回してから、再度ボルト・ナット１６を締めればよい。ボール投入用リング１３をネット６と垂直な位置に設定する場合には、締め付け用ボルト・ナット１４を緩めて下方ジョイント部分１５を支柱５の周りに回わして再度ボルト・ナットを締めればよい。その際、枢着兼締め付け用ボルト・ナット１６を緩めて上方ジョイント部分１７を所望角度倒し、再度ボルト・ナットを締め付ければ、ボール投入用リング１３を所望角度に設定することができる。ボール投入用リングの位置乃至向きの変更操作は把手２３を使用して行われるのが望ましい。
【００１３】
本考案によれば、張設されたバレーボール競技用ネットに練習具のフレームを掛け止めしてネットで支持することにより、従来のように床面又は地面に設置される支柱や土台を必要としないため、選手の足元の危険をなくすことが出来るとともに、練習具の構造を簡素化でき、経済的負担も低減することができる。
【００１４】
リングを目標として打球がリングを通ったか否かを見ることで選手自身が上達の程を確認することができ、またリングをネットに対して任意所望な角度に調節することができるため、トス、レシーブ、サーブ等の練習において色々な状況を想定した練習が可能になる。
【図面の簡単な説明】
【００１５】
【図１】バレーボール競技用ネットに取り付けて示す本考案によるバレーボール練習具の全体正面図である。
【図２】本考案によるバレーボール練習具の側面図である。
【図３】吊り金具の側面図である。
【図４】相互連結型２つ割りジョイントの全体斜視図である。
【図５】相互連結型２つ割りジョイントの分解図である。
【図６】ボール投入用リングの取付け部分の詳細断面図である。
【図７】図７のボール投入用リングの取付け部分の横断面図である。
【符号の説明】
【００１６】
１  バレーボール練習具
４  フレーム
５  支柱
６  ネット
１２  相互連結型２つ割りジョイント１２
１３  ボール投入用リング
１４  締め付け用ボルト・ナット
１５  ２つ割り下方ジョイント部分
１６  枢着兼締め付け用ボルト・ナット
１７  ２つ割り上方ジョイント部分
１８  受け口
１９  割りパイプ
２０  ゴムホース
２１  クランプリング
２２  延長部
【図１】
0003103130.tif 000003
【図２】
0003103130.tif 000004
【図３】
0003103130.tif 000005
【図４】
0003103130.tif 000006
【図５】
0003103130.tif 000007
【図６】
0003103130.tif 000008
【図７】
0003103130.tif 000009